(57)【要約】【課題】変形可能とすることにより大きさを小さくして持ち運ぶことができる矢入れホルダーを提供する。【解決手段】収納体１０は、側面部１１と、この側面部１１の一方の端部を閉鎖する底面部１２とを有している。側面部１１は、背面部１１Ａと、柔軟な布状材料又はシート状材料よりなる変形部である前面部１１Ｂとを有している。収納体１０の内部には、形造り芯材２０が着脱可能に挿入されることにより、前面部１１Ｂを所定の形状に保持し、収納体１０の内部に吹き矢を入れる空間を形成するようになっている。【選択図】図１
0003196386.tif 000002
【実用新案登録請求の範囲】
【請求項１】
少なくとも一部に柔軟な布状材料又はシート状材料よりなる変形部が設けられた側面部と、この側面部の一方の端部を閉鎖する底面部とを有する収納体と、
板状部材よりなり、前記収納体の内部に湾曲して着脱可能に挿入されることにより、前記変形部を所定の形状に保持し、前記収納体の内部に吹き矢を入れる空間を形成する形造り芯材と
を備えたことを特徴とする矢入れホルダー。
【請求項２】
前記側面部は、背面部と、前記変形部としての前面部とを有し、
前記前面部は、前記背面部よりも広い面積を有する
ことを特徴とする請求項１記載の矢入れホルダー。
【請求項３】
前記背面部は、背面芯材を布状材料又はシート状材料により覆った構成を有し、
前記底面部は、底面芯材を布状材料又はシート状材料により覆った構成を有する
ことを特徴とする請求項２記載の矢入れホルダー。
【請求項４】
前記収納体に着脱可能に取り付けられる紐状部材を備えたことを特徴とする請求項１から請求項３のいずれか１に記載の矢入れホルダー。
【考案の詳細な説明】
【技術分野】
【０００１】
本考案は、吹き矢用の矢を入れるための矢入れホルダーに関する。
【背景技術】
【０００２】
近年、スポーツ又はレクリエーションとして吹き矢が手軽に楽しまれている。吹き矢は、吹き筒の中に矢を入れ、吹き筒の一方から息を吹き込み、その空気圧により矢を飛ばすものである。スポーツ吹き矢では、競技をやりやすくするために、例えば、矢を入れて首から下げて用いることができるようにした矢入れホルダーが知られている。この矢入れホルダーは、吹き矢を入れる筒状の収納体と、この収納体を首から下げるための紐状部材とを有している（例えば、非特許文献１参照）。
【先行技術文献】
【特許文献】
【０００３】
【非特許文献１】一般社団法人日本スポーツ吹矢協会ホームページ
【考案の概要】
【考案が解決しようとする課題】
【０００４】
しかしながら、従来の矢入れホルダーの収納体は、例えば、プラスチックにより筒状に形成され、一定の形状を有しているので、使用時には吹き矢を入れやすいが、持ち運び時には嵩張り、不便であるという問題があった。
【０００５】
本考案は、このような問題に基づきなされたものであり、変形可能とすることにより大きさを小さくして持ち運ぶことができる矢入れホルダーを提供することを目的とする。
【課題を解決するための手段】
【０００６】
本考案の矢入れホルダーは、少なくとも一部に柔軟な布状材料又はシート状材料よりなる変形部が設けられた側面部と、この側面部の一方の端部を閉鎖する底面部とを有する収納体と、板状部材よりなり、収納体の内部に湾曲して着脱可能に挿入されることにより、変形部を所定の形状に保持し、収納体の内部に吹き矢を入れる空間を形成する形造り芯材とを備えたものである。
【考案の効果】
【０００７】
本考案によれば、側面部の少なくとも一部に柔軟な布状材料又はシート状材料よりなる変形部を設け、形造り芯材を湾曲して挿入することにより、変形部を所定の形状に保持するようにしたので、使用時には、収納体の内部に形造り芯材を挿入して、吹き矢を入れる空間を形成し、持ち運び時には、収納体から形造り芯材を抜いて、変形部を小さく変形させることができる。よって、嵩張ることなく、容易に持ち運ぶことができる。
【図面の簡単な説明】
【０００８】
【図１】本考案の一実施の形態に係る矢入れホルダーの全体構成を表す図である。
【図２】図１に示した矢入れホルダーの構成の一部を取り出して表す図である。
【図３】図１に示した矢入れホルダーの構成を分解して表す図である。
【考案を実施するための形態】
【０００９】
以下、本考案の実施の形態について、図面を参照して詳細に説明する。
【００１０】
図１は、本考案の一実施の形態に係るご矢入れホルダー１の全体構成を表すものである。図２は、図１に示した矢入れホルダー１の一部を取り出して表すものである。図３は、図１に示した矢入れホルダー１を分解して表すものである。この矢入れホルダー１は、吹き矢を入れるための収納体１０と、この収納体１０の内部に着脱可能に挿入される形造り芯材２０とを備えている。
【００１１】
収納体１０は、側面部１１と、この側面部１１の一方の端部を閉鎖する底面部１２とを有している。側面部１１は、少なくとも一部に、柔軟な布状材料又はシート状材料よりなる変形部を有している。例えば、側面部１１は、背面部１１Ａと、変形部としての前面部１１Ｂとを有し、前面部１１Ｂは、背面部１１Ａよりも広い面積を有するように構成されていることが好ましい。背面部１１Ａは、例えば、プラスチック等よりなる背面芯材を布状材料又はシート状材料により覆った構成を有していることが好ましい。これにより、前面部１１Ｂは、例えば、背面部１１Ａに対して弛んだ状態で設けられている。
【００１２】
底面部１２は、例えば、プラスチック等よりなる底面芯材を布状材料又はシート状材料により覆った構成を有していることが好ましい。底面部１２の形状は、例えば、半円形、又は、半楕円形に構成されていることが好ましい。
【００１３】
形造り芯材２０は、板状部材よりなり、収納体１０の内部に湾曲して着脱可能に挿入されることにより、変形部を所定の形状に保持し、収納体１０の内部に吹き矢を入れる空間を形成するものである。すなわち、使用時には、形造り芯材２０を収納体１０の内部に挿入して、吹き矢を入れる空間を形成し、持ち運び時には、収納体１０から抜いて、変形部を小さく変形させることができるようになっている。
【００１４】
形造り芯材２０は、例えば、変形部に対応した形状とされていることが好ましい。例えば、上述したように、側面部１１が、背面部１１Ａと、変形部としての前面部１１Ｂとを有するように構成する場合には、前面部１１Ｂの形状に合わせて形成されていることが好ましい。形造り芯材２０の角部は、例えば、丸められていることが好ましい。また、形造り芯材２０は、例えば、プラスチックにより構成されていることが好ましい。
【００１５】
この矢入れホルダー１は、また、収納体１０に着脱可能に取り付けられる紐状部材３０を備えていることが好ましい。首から下げて使用することができるようにするためである。紐状部材３０は、例えば、クリップ３１により収納体１０に取り付けることができるようになっている。また、紐状部材３０には、例えば、紐止め３２が取り付けられており、首から下げた時の収納体１０の位置を調節することができるようになっている。
【００１６】
この矢入れホルダー１は、例えば、次のようにして用いることができる。使用時には、まず、例えば、収納体１０の内部に形造り芯材２０を挿入して、変形部を所定の形状に保持し、吹き矢を入れる空間を形成する。次いで、例えば、収納体１０にクリップ３１により紐状部材３０を取り付け、首から下げて、収納体１０に吹き矢を入れる。また、持ち運び時には、収納体１０から紐状部材３０を取り外し、形造り芯材２０を抜いて、変形部を小さく変形させる。
【００１７】
このように本実施の形態によれば、側面部１１の少なくとも一部に柔軟な布状材料又はシート状材料よりなる変形部を設け、形造り芯材２０を湾曲して挿入することにより、変形部を所定の形状に保持するようにしたので、使用時には、収納体１０の内部に形造り芯材２０を挿入して、吹き矢を入れる空間を形成し、持ち運び時には、収納体１０から形造り芯材２０を抜いて、変形部を小さく変形させることができる。よって、嵩張ることなく、容易に持ち運ぶことができる。
【００１８】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【００１９】
また、上記実施の形態では、側面部１１が背面部１１Ａと、変形部としての前面部とを有する場合について説明したが、側面部１１の全体を変形部とするようにしてもよい。この場合、底面部１２は、例えば、円形または楕円形としてもよい。
【符号の説明】
【００２０】
１…矢入れホルダー、１０…収納体、１１…側面部、１１Ａ…背面部、１１Ｂ…前面部、１２…底面部、２０…形造り芯材、３０…紐状部材、３１…クリップ、３２…紐止め
【図１】
0003196386.tif 000003
【図２】
0003196386.tif 000004
【図３】
0003196386.tif 000005